【手続補正書】
【提出日】平成25年8月19日(2013.8.19)
【手続補正１】
【補正対象書類名】特許請求の範囲
【補正対象項目名】全文
【補正方法】変更
【補正の内容】
【特許請求の範囲】
【請求項１】
少なくとも１つのモノマー樹脂を重合してラテックス粒子を形成し、
前記ラテックス粒子を脱イオン水中に分散してラテックス分散体を形成し、
前記ラテックス分散体を少なくとも１つの染料及び界面活性剤と接触させ、
超臨界流体及び水を前記ラテックス分散体に添加してラテックス染料混合物を形成し、  前記ラテックス染料混合物から前記超臨界流体を除去し、
過剰の未反応着色剤を前記ラテックス染料混合物から洗い流し、
前記着色剤が中にカプセル化された樹脂を回収する
ステップを含むことを特徴とするプロセス。
【請求項２】
前記モノマーが、スチレン、アクリレート、メタクリレート、ブタジエン、イソプレン、アクリル酸、メタクリル酸、アクリロニトリル、及びこれらの組合せからなる群から選ばれることを特徴とする、請求項１に記載のプロセス。
【請求項３】
前記樹脂が、ポリ（スチレンブタジエン）、ポリ（メチルメタクリレートブタジエン）、ポリ（エチルメタクリレートブタジエン）、ポリ（プロピルメタクリレートブタジエン）、ポリ（ブチルメタクリレートブタジエン）、ポリ（メチルアクリレートブタジエン）、ポリ（エチルアクリレートブタジエン）、ポリ（プロピルアクリレートブタジエン）、ポリ（ブチルアクリレートブタジエン）、ポリ（スチレンイソプレン）、ポリ（メチルスチレンイソプレン）、ポリ（メチルメタクリレートイソプレン）、ポリ（エチルメタクリレートイソプレン）、ポリ（プロピルメタクリレートイソプレン）、ポリ（ブチルメタクリレートイソプレン）、ポリ（メチルアクリレートイソプレン）、ポリ（エチルアクリレートイソプレン）、ポリ（プロピルアクリレートイソプレン）、ポリ（ブチルアクリレートイソプレン）、ポリ（スチレンブチルアクリレート）、ポリ（スチレンブタジエン）、ポリ（スチレンイソプレン）、ポリ（スチレンブチルメタクリレート）、ポリ（スチレンブチルアクリレートアクリル酸）、ポリ（スチレンブタジエンアクリル酸）、ポリ（スチレンイソプレンアクリル酸）、ポリ（スチレンブチルメタクリレートアクリル酸）、ポリ（ブチルメタクリレートブチルアクリレート）、ポリ（ブチルメタクリレートアクリル酸）、ポリ（スチレンブチルアクリレートアクリロニトリルアクリル酸）、ポリ（アクリロニトリルブチルアクリレートアクリル酸）、及びこれらの組合せからなる群から選ばれることを特徴とする、請求項１に記載のプロセス。
【請求項４】
前記少なくとも１つの染料が、前記樹脂重量の約０．２から約１５パーセントまでの量で存在することを特徴とする、請求項１に記載のプロセス。
【請求項５】
前記超臨界流体が、メタン、エタン、プロパン、エチレン、プロピレン、メタノール、エタノール、アセトン、及びこれらの組合せからなる群から選ばれる有機溶媒を伴う、水及び二酸化炭素を含むことを特徴とする、請求項１に記載のプロセス。
【請求項６】
カプセル化された着色剤を含む前記樹脂を脱イオン水中に再分散させて樹脂／着色剤分散体を形成し、
前記樹脂／着色剤分散体を随意の添加剤と凝集させて凝集粒子を形成し、
前記凝集粒子を合体させてトナー粒子を形成し、
前記トナー粒子を回収するステップ
をさらに含むことを特徴とする、請求項１に記載のプロセス。
【請求項７】
前記プロセスが実施される容器が、密閉された容量可変セル、高圧反応器、温度金属反応器、及びこれらの組合せからなる群から選ばれることを特徴とする、請求項１に記載のプロセス。
【請求項８】
少なくとも１つのモノマー樹脂を重合してラテックス粒子を形成し、
前記ラテックス粒子を脱イオン水中に分散してラテックス分散体を形成し、
前記ラテックス分散体を少なくとも１つの染料及び界面活性剤と接触させ、
超臨界流体を前記ラテックス分散体に添加することによって、少なくとも１つの着色剤を前記ラテックス分散体の中にマイクロカプセル化して、ラテックス染料混合物を形成し、
前記ラテックス染料混合物から前記超臨界流体を除去し、
過剰の未反応着色剤を前記ラテックス染料混合物から洗い流し、
着色剤が中にカプセル化された前記樹脂を回収し、
前記カプセル化された着色剤を含む樹脂を脱イオン水中に再分散させて樹脂／着色剤分散体を形成し、
前記樹脂／着色剤分散体を随意の添加剤と凝集させて凝集粒子を形成し、
前記凝集粒子を合体させてトナー粒子を形成し、
前記トナー粒子を回収するステップ
を含むことを特徴とするプロセス。
【請求項９】
前記モノマーが、スチレン、アクリレート、メタクリレート、ブタジエン、イソプレン、アクリル酸、メタクリル酸、アクリロニトリル、及びこれらの組合せからなる群から選ばれることを特徴とする、請求項８に記載のプロセス。
【請求項１０】
前記樹脂が、ポリ（スチレンブタジエン）、ポリ（メチルメタクリレートブタジエン）、ポリ（エチルメタクリレートブタジエン）、ポリ（プロピルメタクリレートブタジエン）、ポリ（ブチルメタクリレートブタジエン）、ポリ（メチルアクリレートブタジエン）、ポリ（エチルアクリレートブタジエン）、ポリ（プロピルアクリレートブタジエン）、ポリ（ブチルアクリレートブタジエン）、ポリ（スチレンイソプレン）、ポリ（メチルスチレンイソプレン）、ポリ（メチルメタクリレートイソプレン）、ポリ（エチルメタクリレートイソプレン）、ポリ（プロピルメタクリレートイソプレン）、ポリ（ブチルメタクリレートイソプレン）、ポリ（メチルアクリレートイソプレン）、ポリ（エチルアクリレートイソプレン）、ポリ（プロピルアクリレートイソプレン）、ポリ（ブチルアクリレートイソプレン）、ポリ（スチレンブチルアクリレート）、ポリ（スチレンブタジエン）、ポリ（スチレンイソプレン）、ポリ（スチレンブチルメタクリレート）、ポリ（スチレンブチルアクリレートアクリル酸）、ポリ（スチレンブタジエンアクリル酸）、ポリ（スチレンイソプレンアクリル酸）、ポリ（スチレンブチルメタクリレートアクリル酸）、ポリ（ブチルメタクリレートブチルアクリレート）、ポリ（ブチルメタクリレートアクリル酸）、ポリ（スチレンブチルアクリレートアクリロニトリルアクリル酸）、ポリ（アクリロニトリルブチルアクリレートアクリル酸）、及びこれらの組合せからなる群から選ばれることを特徴とする、請求項８に記載のプロセス。
【請求項１１】
前記少なくとも１つの染料が、約１から約６パーセントまでの量で存在することを特徴とする、請求項８に記載のプロセス。
【請求項１２】
前記プロセスが実施される容器が、密閉された容量可変セル、高圧反応器、温度金属反応器、及びこれらの組合せからなる群から選ばれることを特徴とする、請求項８に記載のプロセス。
【請求項１３】
前記トナー粒子が約１ミクロンから約１０ミクロンまでの粒径を有することを特徴とする、請求項８に記載のプロセス。
【請求項１４】
前記超臨界流体が、メタン、エタン、プロパン、エチレン、プロピレン、メタノール、エタノール、アセトン、及びこれらの組合せからなる群から選ばれる有機溶媒を伴う、水及び二酸化炭素を含むことを特徴とする、請求項１に記載のプロセス。
【請求項１５】
少なくとも１つのモノマー樹脂と、
前記樹脂の中にマイクロカプセル化された少なくとも１つの着色剤と、
１つ又はそれ以上の随意のトナー添加剤と
を含むことを特徴とするトナー。
【請求項１６】
前記樹脂が、スチレン、アクリレート、メタクリレート、ブタジエン、イソプレン、アクリル酸、メタクリル酸、アクリロニトリル、及びこれらの組合せからなる群から選ばれ、前記少なくとも１つの着色剤が、顔料、染料、及びこれらの組合せを含むことを特徴とする、請求項１５に記載のトナー。
【請求項１７】
前記樹脂が、ポリ（スチレンブチルアクリレート）を含むことを特徴とする、請求項１５に記載のトナー。
【請求項１８】
前記少なくとも１つの着色剤が、前記トナー重量の約０．２から約１５パーセントまでの量で存在することを特徴とする、請求項１５に記載のトナー。
【請求項１９】
前記樹脂の粒子の直径が約１００ナノメートルから約２００ナノメートルまでであることを特徴とする、請求項１５に記載のトナー。
【請求項２０】
前記トナーの粒子が約１ミクロンから約１０ミクロンまでの粒径を有することを特徴とする、請求項１５に記載のトナー。